(57)【要約】【課題】  スポーツ中継等を行う業務用の撮像装置において、カメラの回路基板から大量に発生する熱を効率良く放熱するとともに、レンズの結露等を解決する。【解決手段】  カメラとレンズ装置との間に空気誘導路を設け、カメラの発熱を、レンズの結露の防止、レンズ操作手段の保温等に利用する。【選択図】  図１
2007103998.tif 000002
【特許請求の範囲】
【請求項１】
レンズ装置とカメラが接続されてなる撮像装置であって、前記カメラの発熱部の空気を前記レンズ装置の少なくとも一部へ誘導する空気誘導部材と、前記空気誘導部材内の空気を送風する送風手段とを有することを特徴とする撮像装置。
【請求項２】
前記レンズ装置は、フォーカスレンズ群と、該フォーカスレンズ群を駆動するフォーカスレンズ駆動部を物体側に有し、前記空気誘導部材は前記フォーカスレンズ群またはフォーカスレンズ駆動部の少なくとも一部に前記カメラの発熱部の空気を誘導することを特徴とする請求項１に記載の撮像装置。
【請求項３】
前記レンズ装置は像側にリレーレンズ群を有し、前記空気誘導部材は前記リレーレンズ群の少なくとも一部に前記カメラの発熱部の空気を誘導することを特徴とする請求項１または２に記載の撮像装置。
【請求項４】
前記レンズ装置の倍率を操作するズーム操作手段、または、前記レンズ装置の合焦位置を操作するフォーカス操作手段の少なくとも一方が前記レンズ装置に接続され、前記空気誘導部材は前記ズーム操作手段又はフォーカス操作手段の少なくとも一部に前記カメラの発熱部の空気を誘導することを特徴とする請求項１乃至３に記載の撮像装置。
【請求項５】
前記レンズ装置は、該レンズ装置の前面に配置される保護ガラスと、該保護ガラスに空気を噴出する噴出手段とを有し、前記空気誘導部材は前記噴出部材に前記カメラの発熱部の空気を誘導することを特徴とする請求項１乃至４に記載の撮像装置。
【発明の詳細な説明】
【技術分野】
【０００１】
本発明は、スポーツ中継等の業務用に用いられる撮影装置に関する。
【背景技術】
【０００２】
従来のズームレンズ（レンズ装置）とテレビカメラは、撮影時に両者を係合するにあたりＶエッジと呼ばれる金具で両者の位置合わせを行い、ネジ部品などで固定して結合している。この際、ズームレンズとテレビカメラに設けられたコネクターも同時に結合され、両者間の通信が可能となっている（特許文献１）。ズームレンズの合焦操作および変倍操作は、撮影者の手元付近に配置されるパンニング棒に取り付けられるレンズ駆動操作装置により行われるのが一般的である。
【０００３】
また、従来の業務用撮像装置は、複数の回路基板から発生する大量の熱に対して、基板の放熱効率を考慮した構造にすると共に冷却ファンなどを設けて強制的に放熱する構造を有している。一方、寒冷時の野外撮影においては外気とレンズ表面の温度差により、前玉レンズの表面や、放熱量の多いカメラに近接するリレーレンズの表面に結露が生じる。このような寒冷地における結露によって撮影に支障を生じないように、従来のズームレンズにはヒーターシステムが内蔵されている（特許文献２）。
【０００４】
さらに、レンズ前面保護ガラスに水滴や雪が付着して映像品質の低下を招かないようにレンズ前面保護ガラスに空気を吹き付ける噴射ノズルを備えたレンズも考案されている（特許文献３）。
【特許文献１】特開平２−１８８７３５
【特許文献２】特開昭６２−２１７２２６
【特許文献３】特開平９−２９２６５６
【発明の開示】
【発明が解決しようとする課題】
【０００５】
従来のテレビカメラにおいては、放熱手段をテレビカメラの筐体内部に配置しなければならないために小型化が困難であった。一方、ズームレンズにおいては、寒冷時の結露防止用ヒーターによって多量の電力が消費されるとともに、熱収縮率の違いによりレンズの機械的駆動部の操作性が悪化することがあった。さらに、ズームレンズの合焦操作及び変倍操作を行うためのレンズ駆動操作グリップ部が外気で冷却されると、カメラマンは手袋等を使用して撮影操作を行うが、手袋を装着することにより細かな操作が困難であった。また、降雨や降雪時にレンズ前面保護ガラスに空気を吹き付けるだけでは、水滴を吹き飛ばすだけの効果しかなく保護ガラス全面を素早く乾燥することが困難であった。
【課題を解決するための手段】
【０００６】
本発明にかかる撮像装置は、レンズ装置とカメラが接続されてなる撮像装置であって、前記カメラの発熱部の空気を前記レンズ装置の少なくとも一部へ誘導する空気誘導部材と、前記空気誘導部材内の空気を送風する送風手段とを有することを特徴とする。
【発明の効果】
【０００７】
本発明によれば、カメラの強制放熱部を不要にすることによりカメラの小型化を実現することができる。また、エアーダクトなどの空気誘導路を用いて、結露が生じ易いレンズ近傍にカメラ放熱部の空気を導いてヒーターに代替することにより省電力化を実現することができる。また、寒冷時には熱収縮率の違いにより機械的駆動部の操作性が悪化するが、前述空気誘導路を利用して機械的摺動部を暖めることにより操作性を向上することができる。さらに、レンズ駆動操作グリップ部にカメラ放熱部の空気を誘導することにより、レンズ駆動操作グリップ部の操作性を向上することできる。その上レンズ前面保護ガラスに吹き付ける空気にカメラ放熱空気を利用することにより保護ガラス面を素早く乾燥させることができる。
【発明を実施するための最良の形態】
【０００８】
（実施例１）
図１は、本発明の第１実施例を表す撮像装置の断面上視図である。カメラレンズ筐体１の内部にフォーカスレンズ群２、ズームレンズ群３、リレーレンズ群４、カメラ部５が構成されている。パンニング棒１０ａ、１０ｂに固定した、フォーカス駆動操作装置７の操作グリップ７ａ及びズーム駆動操作装置８の操作グリップ８ａを操作することにより前玉駆動部２ａ、ズーム駆動部３ａが駆動して各レンズ群を駆動して撮影が行われる。カメラ部５の近傍に近接して放熱された空気を送出するポンプ６に接続された空気誘導路（エアーダクト）９ａ、９ｂ、９ｃが各々レンズ群２、３駆動部２ａ、３ａ操作グリップ７ａ、８ａに向けて暖気を送出して各部を暖めることができる。
【０００９】
（実施例２）
図２は、本発明の第２実施例を表す撮像装置の断面側視図である。カメラレンズ筐体１１の内部にレンズ部１２とカメラ部１３が構成されている。カメラ部１３の発熱部１４から放出された熱風を送出するポンプ１５に接続された空気誘導路（エアーダクト）１６がレンズ前方へ導かれ、前玉保護ガラス１７にエアーダクト１６の先端に設けられたノズル１８から熱風を吹き付け、水滴を乾燥させることができる。
【図面の簡単な説明】
【００１０】
【図１】第１実施例の撮像装置の断面上視図
【図２】第２実施例の撮像装置の断面側視図
【符号の説明】
【００１１】
１  カメラレンズ筐体
２  フォーカスレンズ群
２ａ  フォーカスレンズ駆動部
３  ズームレンズ群
３ａ  ズームレンズ群駆動部
４  リレーレンズ群
５  カメラ部
６  ポンプ
７  フォーカス操作装置
７ａ  フォーカス操作装置の操作グリップ
８  ズーム操作装置
８ａ  ズーム操作装置の操作グリップ
９ａ，９ｂ，９ｃ  空気誘導路
１０ａ，１０ｂ  三脚操作用パンニング棒
１１  カメラレンズ筐体
１２  レンズ部
１３  カメラ部
１４  カメラ発熱部
１５  ポンプ
１６  空気誘導路
１７  前玉保護ガラス
１８  ノズル
１９  熱風
【図１】
2007103998.tif 000003
【図２】
2007103998.tif 000004